(57)【要約】本発明は靴ひもの結束装置を開示する。本発明は履き物の足の甲部に一定の間隔に対向するように形成された連結輪に靴ひもを交差して結束して着用する履き物において、一側面が長手方向に沿って等間隔に係止溝が形成された係止板を備える結束部材と、上記係止板が挿入されるように一側が開口されたスロット及び該スロットの一側面に附着される磁性体と、上記スロットに垂直する方向に連結して形成される設置溝を備える収容部材と、上記設置溝に回動可能に設置されて選択的に磁性体に附着されるもので、加圧操作力を受ける板材形状の押圧板及び該押圧板の一側から突出されて上記係止溝に選択的に係止されるストッパを備える調節部材を含む。本発明による靴ひもの結束装置は、靴ひもの上端部に提供されて使用者の押圧操作によって相互分離される収容部材及び結束部材を構成する第１結束部と；靴ひもの端部に対する緊結性を保障する第２結束部と；靴ひもの下端部に対する緊結性を維持及び調節する第３結束部とを備える構成を通じて靴ひもに対する締付力を安定的に実施及び解除することができてこれを採用した製品に対する消費者の満足度と製品の競争力の確保を期待することができる效果を奏する。
2011500128.tif 000002
【特許請求の範囲】
【請求項１】
履き物の足の甲部に一定の間隔に対向するように形成された連結輪に靴ひもを交差して結束して着用する履き物において、
一側面が長手方向に沿って等間隔に係止溝が形成された係止板を備える結束部材と；
上記係止板が挿入されるように一側が開口されたスロット及び該スロットの一側面に附着される磁性体、また上記スロットに垂直する方向に連結して形成される設置溝を備える収容部材と；
上記設置溝に回動可能に設置されて選択的に磁性体に附着されるもので、加圧操作力を受ける板材形状の押圧板及び該押圧板の一側から突出されて、上記係止溝に選択的に係止されるストッパを備える調節部材と；を含むことを特徴とする靴ひもの結束装置。
【請求項２】
上記結束部材と収容部材は、それぞれ他側に靴ひもの一端が挿入して通過されるように貫通孔が形成された支持片を含むことを特徴とする請求項１に記載の靴ひもの結束装置。
【請求項３】
上記収容部材は上記設置溝の側壁に相互対向する方向にヒンジ溝が形成され、上記調節部材は押圧板の両側に上記ヒンジ溝に嵌められて回転されるようにヒンジ軸が突出して形成されることを特徴とする請求項１に記載の靴ひもの結束装置。
【請求項４】
履き物の足の甲部に一定の間隔に対向するように形成された連結輪に靴ひもを交差して結束して着用する履き物に適用されるもので、上記履き物の足の甲の上部に備えられるように固定孔が形成され、履き物の最後の連結輪を通過した靴ひもの端部が嵌められて緊結を維持する第２結束部を含む靴ひもの結束装置において、
上記第２結束部は上記固定孔の一側に靴ひもが挿入できるように貫通される案内空間を形成した本体及び上記本体内の案内空間に備えられて水平方向に可変移動されるように備えられる案内棒を含むことを特徴とする靴ひもの結束装置。
【請求項５】
上記本体は案内空間の内部の上側面及び下側面にレール溝を形成し、上記案内棒は上端及び下端に上記レール溝に嵌められて摺動されるガイド片が一体に形成されたことを特徴とする請求項４に記載の靴ひもの結束装置。
【請求項６】
上記案内棒はその断面が円形、多角形、楕円形の中のいずれか一つで形成されることを特徴とする請求項４に記載の靴ひもの結束装置。
【請求項７】
履き物の足の甲部に一定の間隔に対向するように形成された連結輪に靴ひもを交差して結束して着用する履き物において、
上記履き物の足の甲の中間部に備えられた靴ひもを結束するもので、内部が空いている板材形状のボディー及び上記ボディーの左側部及び右側部に形成されて靴ひもの各一端が挿入される挿入口及び上記挿入口を通じて挿入された靴ひもを下部に案内して上部側に旋回するように形成される一対の方向転換突起、また上記方向転換突起を旋回した靴ひもを上部に通過されるように案内する出口を形成した第３結束部をさらに含むことを特徴とする靴ひもの結束装置。
【請求項８】
履き物の足の甲部に一定の間隔に対向するように形成された連結輪に靴ひもを交差して結束して着用する履き物に適用されるもので、加圧操作力によって相互選択的に分離される結束部材及び収容部材を備える第１結束部及び上記履き物の足の甲の上部に備えられるように固定孔が形成されたもので、履き物の最後の連結輪を通過した靴ひもの端部が嵌められて緊結を維持する第２結束部を含む靴ひもの結束装置において、
上記第１結束部は一側面が長手方向に沿って等間隔に係止溝が形成された係止板を備える結束部材と、上記係止板が挿入されるように一側が開口されたスロット及び該スロットの一側面に附着される磁性体と、上記スロットに垂直する方向に連結して形成される設置溝を備える収容部材と、上記設置溝に回動可能に設置されて選択的に磁性体に附着されるもので、加圧操作力を受ける板材形状の押圧板及び該押圧板の一側から突出されて上記係止溝に選択的に係止されるストッパを備える調節部材を含み、
上記第２結束部は上記固定孔の一側に靴ひもが挿入できるように貫通される案内空間を形成した本体及び上記本体内の案内空間に備えられて水平方向に可変移動されるように備えられる案内棒を含むことを特徴とする靴ひもの結束装置。
【請求項９】
上記結束部材と収容部材は、それぞれ他側に靴ひもの一端が挿入されて通過するように貫通孔が形成された支持片を含むことを特徴とする請求項８に記載の靴ひもの結束装置。
【請求項１０】
上記収容部材は上記設置溝の側壁に相互対向する方向にヒンジ溝が形成され、上記調節部材は押圧板の両側に上記ヒンジ溝に嵌められて回転されるようにヒンジ軸が突出して形成されることを特徴とする請求項８に記載の靴ひもの結束装置
【請求項１１】
上記本体は案内空間の内部の上側面及び下側面にレール溝を形成し、上記案内棒は上端及び下端に上記レール溝に嵌められて摺動されるガイド片が一体に形成されたことを特徴とする請求項８に記載の靴ひもの結束装置。
【請求項１２】
上記案内棒はその断面が円形、多角形、楕円形の中のいずれか一つで形成されることを特徴とする請求項８に記載の靴ひもの結束装置。
【請求項１３】
履き物の足の甲部に一定の間隔に対向するように形成された連結輪に靴ひもを交差して結束して着用する履き物に適用されるもので、加圧操作力によって相互選択的に分離する結束部材及び収容部材を備える第１結束部及び上記履き物の足の甲の上部に備えられるように固定孔が形成されたもので、履き物の最後の連結輪を通過した靴ひもの端部が嵌められて緊結を維持する第２結束部を含む靴ひもの結束装置において、
上記第１結束部は一側面が長手方向に沿って等間隔に係止溝が形成された係止板を備える結束部材と、上記係止板が挿入されるように一側が開口されたスロット及び該スロットの一側面に附着される磁性体と、上記スロットに垂直する方向に連結されて形成される設置溝を備える収容部材と、上記設置溝に回動可能に設置されて選択的に磁性体に附着されるもので、加圧操作力を受ける板材形状の押圧板及び該押圧板の一側から突出されて上記係止溝に選択的に係止されるストッパを備える調節部材を含み、
上記履き物の足の甲の中間部に備えられた靴ひもを結束するもので、内部が空いている板材形状のボディー及び上記ボディーの左側部及び右側部に形成されて靴ひもの各一端が挿入される挿入口及び上記挿入口を通じて挿入された靴ひもを下部に案内して上部側に旋回するように形成される一対の方向転換突起、また上記方向転換突起を旋回した靴ひもを上部に通過されるように案内する出口を形成した第３結束部をさらに含むことを特徴とする靴ひもの結束装置。
【請求項１４】
上記結束部材と収容部材は、それぞれ他側に靴ひもの一端が挿入されて通過されるように貫通孔が形成された支持片を含むことを特徴とする請求項１３に記載の靴ひもの結束装置。
【請求項１５】
上記収容部材は上記設置溝の側壁に相互対向する方向にヒンジ溝が形成され、上記調節部材は押圧板の両側に上記ヒンジ溝に嵌められて回転されるようにヒンジ軸が突出して形成されることを特徴とする請求項１３に記載の靴ひもの結束装置。
【請求項１６】
履き物の足の甲部に一定の間隔に対向するように形成された連結輪に靴ひもを交差して結束して着用する履き物に適用される結束装置において、
上記履き物の足の甲の上部に備えられるように固定孔が形成され、履き物の最後の連結輪を通過した靴ひもの端部が嵌められて緊結を維持する第２結束部を備え、上記第２結束部は上記固定孔の一側に靴ひもが挿入できるように貫通される案内空間を形成した本体及び上記本体内の案内空間に備えられて水平方向に可変移動されるように備えられる案内棒を含み、
上記履き物の足の甲の中間部に備えられた靴ひもを結束するもので、内部が空いている板材形状を有するボディー及び上記ボディーの左側部及び右側部に形成されて靴ひもの各一端が挿入される挿入口及び上記挿入口を通じて挿入された靴ひもを下部に案内して上部側に旋回するように形成される一対の方向転換突起、また上記方向転換突起を旋回した靴ひもを上部に通過されるように案内する出口を形成した第３結束部をさらに含むことを特徴とする靴ひもの結束装置。
【請求項１７】
上記本体は案内空間内部の上側面及び下側面にレール溝を形成して、上記案内棒は上端及び下端に上記レール溝に嵌められて摺動されるガイド片が一体に形成されたことを特徴とする請求項１６に記載の靴ひもの結束装置。
【請求項１８】
上記案内棒はその断面が円形、多角形、楕円形の中のいずれか一つで形成されることを特徴とする請求項１６に記載の靴ひもの結束装置。
【請求項１９】
履き物の足の甲部に一定の間隔に対向するように形成された連結輪に靴ひもを交差して結束して着用する履き物において、
一側面が長手方向に沿って等間隔に係止溝が形成された係止板を備える結束部材と；
上記係止板が挿入されるように一側が開口されたスロット及び該スロットに垂直する方向に連結して形成される貫通された設置溝を備える収容部材と；
上記設置溝を遮蔽するように備えられながら回動可能に設置され、上記スロット側に位置した一端に延長されて、設置溝の一側の内側壁に接触される延長板部及びこの延長板部と反対する他端に備えられて弾性力によって上向き回動が防止されるようにする弾性部材、上記押圧板で下向きに突出されて上記係止溝に選択的に係止されるストッパを備える調節部材；を含むことを特徴とする靴ひもの結束装置。
【請求項２０】
履き物の足の甲部に一定の間隔に対向するように形成された連結輪に靴ひもを交差して結束して着用する履き物に適用されるもので、加圧操作力によって相互選択的に分離する結束部材及び収容部材を備える第１結束部及び上記履き物の足の甲の上部に備えられるように固定孔が形成された本体を備えたもので、履き物の最後の連結輪を通過した靴ひもの端部が嵌められて緊結を維持する第２結束部を含む靴ひもの結束装置において、
上記第１結束部は一側面が長手方向に沿って等間隔に係止溝が形成された係止板を備える結束部材と、上記係止板が挿入されるように一側が開口されたスロット及び該スロットに垂直する方向に連結して形成される貫通された設置溝を備える収容部材と、上記設置溝を遮蔽するように備えられながら回動可能に設置され、上記スロット側に位置した一端に延長されて、設置溝の一側の内側壁に接触される延長板部及びこの延長板部と反対される他端に備えられて弾性力によって上向き回動が防止されるようにする弾性部材、また上記押圧板で下向きに突出されて上記係止溝に選択的に係止されるストッパを備える調節部材を含み、
上記第２結束部は固定孔の一側に、内部に案内空間を形成するように間隔を隔てて離間される上板と下板が延長される本体を備え、これら上板と下板との間の案内空間には水平方向に可変移動されるように備えられる案内棒と、この案内棒の一側に第１ポスト及び第２ポストとが間隔を隔てて形成されることを特徴とする靴ひもの結束装置。
【請求項２１】
履き物の足の甲部に一定の間隔に対向するように形成された連結輪に靴ひもを交差して結束して着用する履き物に適用されるもので、加圧操作力によって相互選択的に分離する結束部材及び収容部材を備える第１結束部及び上記履き物の足の甲の上部に備えられるように固定孔が形成されたもので、履き物の最後の連結輪を通過した靴ひもの端部が嵌められて緊結を維持する第２結束部を含む靴ひもの結束装置において、
上記第１結束部は一側面が長手方向に沿って等間隔に係止溝が形成された係止板を備える結束部材と、上記係止板が挿入されるように一側が開口されたスロット及び該スロットに垂直する方向に連結して形成される貫通された設置溝を備える収容部材と、上記設置溝を遮蔽するように備えられながら回動可能に設置され、上記スロット側に位置した一端に延長されて設置溝の一側の内側壁に接触される延長板部及びこの延長板部と反対される他端に備えられて弾性力によって上向き回動が防止されるようにする弾性部材、また上記押圧板で下向きに突出されて上記係止溝に選択的に係止されるストッパを備える調節部材を含み、
上記履き物の足の甲の中間部に備えられた靴ひもを結束するもので、内部が空いている板材形状を持つボディー及び上記ボディーの左側部及び右側部に形成されて靴ひもの各一端が挿入及び引出される一対の入出口、また上記ボディーの内部に相互間隔を隔てて垂直に形成されることによって、それぞれの入出口を通じて挿入された靴ひもが旋回して、再び入出口に引出されるようにする一対の方向転換突起が形成された第３結束部をさらに含むことを特徴とする靴ひもの結束装置。
【請求項２２】
履き物の足の甲部に一定の間隔に対向するように形成された連結輪に靴ひもを交差して結束して着用する履き物に適用される結束装置において、
上記履き物の足の甲の上部に結合されるように固定孔が形成されたもので、この固定孔の一側に、内部に案内空間を形成するように間隔を隔てて離間された上板と下板が延長される本体を備えて、これら上板と下板との間の案内空間には水平方向に可変移動されるように備えられる案内棒及びこの案内棒の一側に間隔を隔てて形成される第１ポスト及び第２ポストからなる第２結束部と；
上記履き物の足の甲の中間部に備えられた靴ひもを結束するもので、内部が空いている板材形状を有するボディー及び上記ボディーの左側部及び右側部に形成されて靴ひもの各一端が挿入及び引出される一対の入出口、また上記ボディーの内部に相互間隔を隔てて垂直に形成されることによって、それぞれの入出口を通じて挿入された靴ひもが旋回して、再び入出口に引出されるようにする一対の方向転換突起が形成された第３結束部をさらに含むことを特徴とする靴ひもの結束装置。
【請求項２３】
上記結束部材と収容部材は、それぞれ他側に靴ひもの一端が挿入して通過されるように貫通孔が形成された支持片を含むことを特徴とする請求項１９乃至請求項２１中のいずれか一項に記載の靴ひもの結束装置。
【請求項２４】
上記収容部材は、
上記設置溝の側壁に相互対向する方向にヒンジ溝が形成され、上記調節部材は押圧板の両側に上記ヒンジ溝に嵌められて回転されるようにヒンジ軸が突出して形成されることを特徴とする請求項１９乃至請求項２１中のいずれか一項に記載の靴ひもの結束装置。
【請求項２５】
上記結束部材と収容部材は、それぞれ他側に靴ひもの一端が挿入して通過されるように貫通孔が形成された一対の支持片を含み、これら一対の支持片は互いに異なる突出高さを有するように備えられることを特徴とする請求項１９乃至請求項２１中のいずれか一項に記載の靴ひもの結束装置。
【請求項２６】
上記弾性部材は、上記押圧板で一体に延長される弾性板部及びこの弾性板部の端部に一体に形成されて隣接した設置溝の一側の内側壁に係止される係止突起で構成されることを特徴とする請求項１９乃至請求項２１中のいずれか一項に記載の靴ひもの結束装置。
【請求項２７】
上記弾性部材は、
上記設置溝の一側に露出されながら両側面が切開された上板部及びこの上板部で下向きに延長されて上記ストッパの側部が接触される支持板部で構成されることを特徴とする請求項１乃至請求項３１中のいずれか一項に記載の靴ひもの結束装置。
【請求項２８】
上記弾性部材は、
上記押圧板の両側に両端が結合され、一端は上記結束部材の設置溝の一側の内側壁に係止される鋼線スプリングであることを特徴とする請求項１９乃至請求項２１中のいずれか一項に記載の靴ひもの結束装置。
【請求項２９】
上記弾性部材は、
上記押圧板の両側に突出されたヒンジ軸に一端が巻き取られて支持されながらその他端は上記結束部材の設置溝の一側の内側壁に係止されて弾性力を作用するトーションスプリングであることを特徴とする請求項１９乃至請求項２１中のいずれか一項に記載の靴ひもの結束装置。
【請求項３０】
上記弾性部材は、上記押圧板の一側に一端が連結され、その他端は上記結束部材の一側に連結されるコイルスプリングであることを特徴とする請求項１９乃至請求項２１中のいずれか一項に記載の靴ひもの結束装置。
【請求項３１】
履き物の足の甲部に一定の間隔に対向するように形成された連結輪に靴ひもを交差して結束して着用する履き物に適用されるもので、上記履き物の足の甲の上部に結合されるように固定孔が形成された本体を備えて、履き物の最後の連結輪を通過した靴ひもの端部が嵌められて緊結を維持する第２結束部を含む靴ひもの結束装置において、
上記本体は固定孔の一側に案内空間を形成するように間隔を隔てて離間された上板と下板が延長されて、これら上板と下板との間の案内空間には水平方向に可変移動されるように備えられる案内棒と、この案内棒の一側に第１ポスト及び第２ポストが間隔を隔てて形成されることを特徴とする靴ひもの結束装置。
【請求項３２】
上記本体は、上記案内空間の内部の上側面及び下側面にレール溝を形成し、上記案内棒は上端及び下端に上記レール溝に嵌められて摺動されるガイド片が一体に形成されることを特徴とする請求項２０または請求項２２または請求項３１のうちのいずれか一項に記載の靴ひもの結束装置。
【請求項３３】
上記案内棒は、その断面が円形、多角形、楕円形の中のいずれか一つで形成されることを特徴とする請求項２０または請求項２２または請求項３１のうちのいずれか一項に記載の靴ひもの結束装置。
【請求項３４】
履き物の足の甲部に一定の間隔に対向するように形成された連結輪に靴ひもを交差して結束して着用する履き物において、
上記履き物の足の甲の中間部に備えられた靴ひもを結束するもので、内部が空いている板材形状を有するボディー及び上記ボディーの左側部及び右側部に形成されて、靴ひもの各一端が挿入及び引出される一対の入出口、また上記ボディーの内部に相互間隔を隔てて垂直に形成されることによってそれぞれの入出口を通じて挿入された靴ひもが旋回して、再び入出口に引出されるようにする一対の方向転換突起からなる第３結束部を含むことを特徴とする靴ひもの結束装置。
【発明の詳細な説明】
【技術分野】
【０００１】
本発明は履き物に備えられて開口された足の甲部を締める靴ひもの結束装置に関し、さらに詳しくは、外側に露出された収容部材に設置された回動ストッパに加えられる押圧操作によって挿入部材が容易に着脱されるようにした第１結束部と；靴ひもの後端が先端を加圧しながら堅固な緊結状態を維持させる第２結束部と；靴ひもの下端部に対する緊結性を容易に調節できるようにした第３結束部と；を追加設置して、使用上の便宜性を高めることができる靴ひもの結束装置に関する。
【背景技術】
【０００２】
一般に、履き物は、日常生活で移動手段として用いられる生活用品の一つであり、最近には、男女の社会活動や週５日制勤務による余暇生活が増加して、その使用度が増加し、このような履き物は用途によってその種類が多いが、用途に関係なく大部分の履き物は靴ひもを利用して着脱できるようになっている。
【０００３】
上記履き物は、足を収容して保護することができる収容空間が形成された本体が備えられ、上記本体の足の甲部が開口されて足の甲を保護する保護カバーが備えられ、上記本体の足の甲部の両側に一定の間隔に相互対向するように固定具で固定される連結輪が備えられて、靴ひもを交差して結束するのである。
【０００４】
しかしながら、上記のように構成された従来の履き物は、使用者が履き物を着用するために、靴ひもを解いた後、左右に緩ませてから、靴ひもを引いて結んで着用するため、履き物の着脱が煩雑であり、時間がたくさんかかるため、不便な問題点があり、履き物を着用して歩く時、靴ひもが解けるだけでなく、靴ひもを縛った時、靴ひもの結び目が複雑で見掛けが良くないという問題点があった。
本出願人はこのような問題点を解決するために、大韓民国特許出願第２００７−３５６６５号によって、改善された靴ひもの結束装置を先願において提案した。
【０００５】
本出願人によって先出願された靴ひもの結束装置は、図１に示したように、履き物１の足の甲部に一定の間隔に対向するように形成された連結輪３に靴ひもＬを交差して結束して着用する履き物に適用されるもので、上記靴ひもＬが連結される連結輪３の間に結束されて磁性体が装着された収容部材の内部に調節部材を回転及び復元させながら結束部材が結束され、上記調節部材を回転させて磁性体から離脱させながら結束部材の結束を解除する第１結束部１００と；上記履き物１の最後の連結輪を通過した靴ひもＬの端部が固定部材に積層されるように結束されて積層された靴ひもＬの上側端部が靴ひもＬの下側端部を加圧しながら緊結を維持する第２結束部２００と；で構成される。
【０００６】
ここで、上記第１結束部１００は留め金組立体であり、図２及び図３に示したように、第１結束部１００は上記靴ひもＬが結束されるように、一側に支持片１１１ａが突出されて貫通孔１１１ａ′が形成され、中央部の両側面が内側に凹入された本体１１１が備えられ、上記支持片１１１ａの他側面に結束部材１３０が結束されるように収容空間１１１ｂが備えられ、上記本体１１１の下面に調節部材１２０が装着されるように装着空間が開口されて両側方に回転孔が形成された収容部材１１０が備えられ、上記装着空間の内部に設置されて回転孔に嵌められるように、両側に回転軸１２１ａが形成された調節板１２１が備えられ、上記回転軸１２１ａの両側端部に調節板１２１を回転させる調節レバー１２１ｂが備えられ、上記調節板１２１の後方に結束部材１３０を着脱する調節突起１２１ｃが突出された金属材の調節部材１２０が備えられ、上記収容空間１１１ｂに結束されて調節突起１２１ｃの調節によって解除されるように多数の結束溝１３１ａが形成された結束板１３１が備えられ、上記結束板１３１の後方の両側に支持片１３１ｂが突出されて、靴ひもＬを結束する貫通孔１３１ｂ′が形成された結束部材１３０が備えられ、上記結束部材１３０が結束されながら回転を繰り返す調節部材１２０が復元されるように収容空間１１１ｂの下端部の本体１１１の上面に磁性体１４０が装着される構成である。
【０００７】
また、第２結束部２００は、図４で示したように、上記履き物１の足の甲の上部に固定されるように、固定孔２１１が形成されて内部が開口された固定部材２１０が備えられ、上記固定部材２１０の一側に靴ひもＬが入るように移動防止突起２１３が形成された案内空間２１２が備えられ、上記案内空間２１２の下端部に靴ひもＬに囲まれながら案内空間２１２に案内する案内棒２１４が備えられる構成である。
【０００８】
このような構成の靴ひも結束装置は、第１結束部１００を構成する上記収容部材１１０の内部に結束部材１３０が結束されながら回転される調節部材１２０が磁性体によって復元されるので着脱が簡単で、上記第２結束部２００に結束された靴ひもの後端が靴ひもの先端を加圧するので、安定的で迅速な緊結を維持することができる。
【０００９】
しかし、本出願人によって先出願された靴ひもの結束装置は、上記第１結束部１００を構成する収容部材１１０と結束部材１３０の締結状態を解除する時、上記収容部材１１０の本体１１１の両側部に備えられる調節レバー１２１ｂを回動操作するが、上記調節レバー１２１ｂの大きさが小さく、両側に備えられていて、操作が困難であるとともに、過度な操作力で破損しやすいという問題点があった。
【００１０】
また、上記第２結束部２００は案内棒２１４が固定されていて、側部方向に対する圧迫が制限的で、結果的に靴ひもとの緊結性を高めるのに限界があるとともに、靴ひもに過度な外力が作用する場合には、上記第２結束部２００と靴ひもの結束状態が緩んでしまう問題点があった。
【発明の概要】
【発明が解決しようとする課題】
【００１１】
本発明は上記のような従来技術の問題点を解決するために創出されたもので、本発明の目的は、押圧操作によって第１結束部を構成する収容部材と結束部材との間の結束を解除することができるようにして、使用上の便宜性を高めながら製品デザインの自由度を改善させることができる靴ひもの結束装置を提供することにある。
【００１２】
本発明の他の目的は、第２結束部を構成する案内棒が可変的に位置移動ができるようにして、靴ひもに対する側部圧迫を適切に誘導して、靴ひもの緊結性に対する信頼性を高めることができる靴ひもの結束装置を提供することにある。
【００１３】
本発明のまた他の目的は、靴ひもの下端部を簡単な操作を通じて緊結状態を任意に調節できるようにした第３結束部を構成して、使用上の便宜性を高め、製品の競争力を確保することができる靴ひもの結束装置を提供することにある。
【課題を解決するための手段】
【００１４】
上記のような問題点を解決するために、本発明は多様な実施形態を提供する。
【００１５】
上記の目的を達するための本発明の一実施形態による靴ひもの結束装置は、履き物の足の甲部に一定の間隔に対向するように形成された連結輪に靴ひもを交差して結束して着用する履き物において、一側面が長手方向に沿って等間隔に係止溝が形成された係止板を備える結束部材と；上記係止板が挿入されるように一側が開口されたスロット及び該スロットの一側面に附着される磁性体、上記スロットに垂直する方向に連結される設置溝を備える収容部材と；上記設置溝に回動可能に設置されて選択的に磁性体に附着され、加圧操作力を受ける板材形状の押圧板及び該押圧板の一側から突出されて、上記係止溝に選択的に係止されるストッパを備える調節部材と；を含むことをその特徴とする。
【００１６】
本発明の他の実施形態による靴ひもの結束装置は、履き物の足の甲部に一定の間隔に対向するように形成された連結輪に靴ひもを交差して結束して着用する履き物に適用されるもので、上記履き物の足の甲の上部に備えられるように固定孔が形成され、履き物の最後の連結輪を通過した靴ひもの端部が挟まれて緊結を維持する第２結束部を含む靴ひもの結束装置において、上記第２結束部は上記固定孔の一側に靴ひもが挿入できるように貫通される案内空間を形成した本体及び上記本体の内部の案内空間に備えられて水平方向に可変移動されるように備えられる案内棒を含むことをその特徴とする。
【００１７】
本発明のまた他の実施形態による靴ひもの結束装置は、履き物の足の甲部に一定の間隔に対向するように形成された連結輪に靴ひもを交差して結束して着用する履き物において、上記履き物の足の甲の中間部に備えられた靴ひもを結束するもので、内部が空いている板材形状のボディー及び上記ボディーの左側部及び右側部に形成されて靴ひもの各一端が挿入される挿入口及び上記挿入口を通じて挿入された靴ひもを下部に案内して、上部側に旋回するように形成される一対の方向転換突起、また上記方向転換突起を旋回した靴ひもを上部に通過されるように案内する出口を形成した第３結束部をさらに含むことにある。
【００１８】
本発明の好ましいまた他の実施形態による靴ひもの結束装置は、履き物の足の甲部に一定の間隔に対向するように形成された連結輪に靴ひもを交差して結束して着用する履き物に適用されるもので、上記履き物の足の甲の上部に結合されるように固定孔が形成された本体を備えて、履き物の最後の連結輪を通過した靴ひもの端部が挟まれて緊結を維持する第２結束部を含む靴ひもの結束装置において、上記本体は固定孔の一側に案内空間を形成するように間隔を隔てて離間された上板と下板が延長して形成され、これら上板と下板との間の案内空間には水平方向に可変移動されるように備えられる案内棒と、この案内棒の一側に第１ポスト及び第２ポストが間隔を隔てて形成されることをその特徴とする。
【００１９】
本発明の好ましいまた他の実施形態による靴ひもの結束装置は、履き物の足の甲部に一定の間隔に対向するように形成された連結輪に靴ひもを交差して結束して着用する履き物に適用されるもので、上記履き物の足の甲の上部に結合されるように固定孔が形成された本体を備えて、履き物の最後の連結輪を通過した靴ひもの端部が嵌められて緊結を維持する第２結束部を含む靴ひもの結束装置において、第２結束部は、固定孔の一側に、内部に案内空間を形成するように間隔を隔てて離間される上板と下板が延長される本体を備え、上記上板と下板との間の案内空間には水平方向に可変移動されるように備えられる案内棒と、該案内棒の一側に第１ポスト及び第２ポストが間隔隔てて形成されることをその特徴とする。
【００２０】
本発明の好ましいまた他の実施形態による靴ひもの結束装置は、履き物の足の甲部に一定の間隔に対向するように形成された連結輪に靴ひもを交差して結束して着用する履き物において、上記履き物の足の甲の中間部に備えられた靴ひもを結束するもので、内部が空いている板材形状を有するボディー及び上記ボディーの左側部及び右側部に形成されて靴ひもの各一端が挿入及び引出される一対の入出口、また上記ボディーの内部に互いに間隔を隔てて垂直に形成されることによって、それぞれの入出口を通じて挿入された靴ひもが旋回して再び入出口に引出されるようにする一対の方向転換突起からなる第３結束部を含うことをその特徴とする。
【発明の効果】
【００２１】
本発明による靴ひもの結束装置は、靴ひもの上端部に提供されて使用者の押圧操作によって相互分離される収容部材及び結束部材を構成する第１結束部と；靴ひもの末端部に対する緊結性を保障する第２結束部と；靴ひもの下端部に対する緊結性を保持及び調節する第３結束部と；を備える構成によって、靴ひもに対する締付力を安定的に実施及び解除することができて、これを採用した製品に対する消費者の満足度と製品の競争力の確保を期待することができるという效果を奏する。
【００２２】
特に、本発明における第１結束部は使用者の足の甲部に向かって加圧する簡単な操作だけで収容部材と結束部材の結束状態が解除されるので、従来より操作の便宜性を大幅に高めるとともに、過度な操作力による部品の破損を防止することができ、同時に製品デザインの自由度をさらに改善させることができるという長所を提供する。
【００２３】
また、第２結束部を構成する案内棒が水平方向に可変的に移動されるように構成されていて、靴ひもに対する側部の圧迫を效果的に実施することができ、これによって靴ひもの押される現象を最小化して安定した緊結性を保障するという長所を提供する。
【００２４】
また、第３結束部は使用者の引張り操作を通じて靴ひもの下端部に対する締付状態を調節することができるので、使い勝手がよく、上記第１結束部及び第２結束部のと一体された構造を通じて靴ひも全体に対する緊結性の維持を強化させることができるという長所を提供する。
【００２５】
従って、これら第１、２、３結束部を追加構成することによって靴ひも全体に対する緊結性の維持を簡単な操作だけで容易に強化させることができるので、各種レポーツやスポーツに利用される多様な履き物に適用の時、その商品価値を高めることができるという效果が期待される。
【図面の簡単な説明】
【００２６】
【図１】従来技術による靴ひもの結束装置が適用された履き物を示した斜視図。
【図２】従来技術による靴ひもの結束装置で第１結束部を示した斜視図。
【図３】従来技術による靴ひもの結束装置で第１結束部を示した組立断面図。
【図４】従来技術による靴ひもの結束装置で第２結束部を示した断面図。
【図５】本発明による靴ひもの結束装置で第１結束部が適用された履き物を示した斜視図。
【図６】本発明による靴ひもの結束装置で第１結束部を示した斜視図。
【図７】本発明による靴ひもの結束装置で第１結束部を示した分解斜視図。
【図８】本発明による靴ひもの結束装置で第１結束部の内部構造を説明するための断面図。
【図９】本発明による靴ひもの結束装置で第１結束部の組立状態を説明するための断面図。
【図１０】本発明による靴ひもの結束装置で第２結束部が適用された履き物を示した斜視図。
【図１１】本発明による靴ひもの結束装置で第２結束部を示した斜視図。
【図１２】本発明による靴ひもの結束装置で第２結束部の使用状態を説明するための平断面図。
【図１３】本発明による靴ひもの結束装置で第２結束部の内部構造を説明するための縦断面図。
【図１４】本発明による靴ひもの結束装置で第３結束部が適用された履き物を示した斜視図。
【図１５】本発明による靴ひもの結束装置で第３結束部を示した斜視図。
【図１６】本発明による靴ひもの結束装置で第３結束部の使用状態を説明するための平断面図、
【図１７】本発明による靴ひもの結束装置で第１実施形態による第１結束部が適用された履き物を示した斜視図。
【図１８】本発明による靴ひもの結束装置で第１実施形態による第１結束部を示した斜視図。
【図１９】本発明による靴ひもの結束装置で第１実施形態による第１結束部を示した分解斜視図。
【図２０】本発明による靴ひもの結束装置で第１実施形態による第１結束部の内部構造を説明するための断面図。
【図２１】本発明による靴ひもの結束装置で第１実施形態による第１結束部の内部構造を説明するための断面図。
【図２２】本発明による靴ひもの結束装置で第２実施形態による第１結束部を示した斜視図。
【図２３】本発明による靴ひもの結束装置で第２実施形態による第１結束部を示した分解斜視図。
【図２４】本発明による靴ひもの結束装置で第２実施形態による第１結束部の内部構造を説明するための断面図。
【図２５】本発明による靴ひもの結束装置で第２実施形態による第１結束部の内部構造を説明するための断面図。
【図２６】本発明による靴ひもの結束装置で第３実施形態による第１結束部を示した分解斜視図。
【図２７】本発明による靴ひもの結束装置で第４実施形態による第１結束部を示した分解斜視図。
【図２８】本発明による靴ひもの結束装置で第５実施形態による第１結束部を示した分解斜視図。
【図２９】本発明による靴ひもの結束装置で第２結束部を示した斜視図。
【図３０】本発明による靴ひもの結束装置で第２結束部の使用状態を説明するための断面図。
【図３１】本発明による靴ひもの結束装置で第２結束部の使用状態を説明するための断面図。
【図３２】本発明による靴ひもの結束装置で第３結束部が適用された履き物を示した斜視図。
【図３３】本発明による靴ひもの結束装置で第３結束部を示した斜視図。
【図３４】本発明による靴ひもの結束装置で第３結束部の使用状態を説明するための平断面図。上記に記載された本発明の目的、特徴及び長所は以下の説明によりさらに明確になる。
【発明を実施するための形態】
【００２７】
以下、添付された図面を参照して本発明による靴ひもの結束装置を説明すれば下記の通りである。
まず、図面において、同一の構成要素または部品は同一の参照符号で示している。本発明を説明するにおいて、係わる公知の機能あるいは構成に対する具体的な説明は本発明の要旨を明確にするために省略する。
【００２８】
図５は本発明による靴ひもの結束装置が適用された履き物を示した斜視図であり、図１０は本発明による靴ひもの結束装置で第２結束部が適用された履き物を示した斜視図であり、図１４は本発明による靴ひもの結束装置で第３結束部が適用された履き物を示した斜視図である。
【００２９】
上記に示したように、本発明の靴ひもの結束装置は、大まかに履き物の足の甲部に一定の間隔に対向するように形成された連結輪に靴ひもＬを交差されるように形成して着用する運動靴・登山靴などのような履き物に適用されるもので、使用者の操作力によって靴ひもＬの結束状態を選択的に弛緩させる第１結束部１０と；上記履き物の足の甲の上部に備えられるように固定孔２２が形成され、履き物１の最後の連結輪Ｃを通過した靴ひもＬの端部が挟まれて緊結を維持する第２結束部２０と；上記履き物１の足の甲の中間部に備えられた靴ひもＬを結束して上記履き物１の足の甲の下部に対する結束を調節する第３結束部３０とで構成される。
【００３０】
図６は本発明の靴ひもの結束装置で第１結束部を示した図面であり、図７は第１結束部の分解斜視図であり、図８は第１結束部の内部構造を説明するための断面図であり、図９は第１結束部の組立状態を説明するための断面図である。
【００３１】
図面に示したように、第１結束部１０は雌部材である収容部材１１と；上記収容部材１１に嵌合される雄部材である結束部材１３と；上記収容部材１１に回動可能に備えられて、上記結束部材１３に対して選択的に結合拘束力を生成する調節部材１２とで構成される。
【００３２】
上記収容部材１１は、上記結束部材１３の係止板１３ａが挿入されることができるように一側が開口されたスロット１１ｂを形成し、上記スロット１１ｂの一側面、即ち、図面ではスロット１１ｂの内部の上側面には磁性体１４が附着されて、後述する調節部材１２の押圧板１２ａが磁力によって附着された状態を維持するようにする。また、上記収容部材１１は上部面に使用者の加圧操作力を受ける要素である調節部材１２が設置されることができるように設置溝１１ｃが形成されるが、この時の上記設置溝１１ｃは上記スロット１１ｂと連結される構成である。また、上記収容部材１１は上記設置溝１１ｃの側壁に対向する方向にヒンジ溝１１ｄが形成され、この時の上記ヒンジ溝１１ｄには後述する調節部材１２を構成する押圧板１２ａの両側に突出されたヒンジ軸１２ｂが回転可能に嵌められる。
【００３３】
一方、上記収容部材１１は上記スロット１１ｂと反対する他側に支持片１１ａが突出され、この時の上記支持片１１ａは靴ひもＬを結束する貫通孔１１ａ′が形成される。このような支持片１１ａは靴ひもＬを連結することができる特徴を有すれば、多様な形態に変形実施されても構わなく、一例として一つのリング形状の貫通孔を形成したり、二つ以上の貫通孔を形成する。
【００３４】
上記結束部材１３は上記収容部材１１のスロット１１ｂに挿入されて選択的に係止されることによって、結束部材１３とともに結合された状態を維持または解除されて分離する要素で、一側、即ち図面から見ると、上側面には長手方向に沿って係止溝１３ｂが形成された係止板１３ａが突出される。このような結束部材１３は上記係止板１３ａと反対する他側に支持片１３ｃが突出され、この時の上記支持片１３ｃは靴ひもＬを結束する貫通孔１３ｃ′が形成される。
【００３５】
一方、上記支持片１３ｃは靴ひもＬを連結することができる特徴を有すれば、多様な形態に変形実施されても構わなく、一例として一つのリング形状の貫通孔を形成したり、二つ以上の貫通孔を形成する。
【００３６】
上記調節部材１２は上記設置溝１１ｃを部分的に遮蔽する板材形状の要素で、上記設置溝１１ｃに回動可能に設置されて選択的に磁性体１４に附着され、使用者から加圧操作力を受ける押圧板１２ａと、上記押圧板１２ａの一側、即ち下向きに突出されて、上記係止溝１３ｂに選択的に係止されるストッパ１２ｄとで構成されて、この時の上記ストッパ１２ｄは上記押圧板１２ａの回動の時、即ち、使用者の加圧操作力によって押圧された時、ヒンジ軸１２ｂを中心に上向きに回動して上記結束部材１３の係止溝１３ｂから離脱される。
【００３７】
このように構成される第１結束部１０は収容部材１１と結束部材１３とが互いに嵌合して組立てられた状態を詳しく見ると、上記収容部材１１の設置溝１１ｃに備えられた調節部材１２が磁性体１４の磁力によってその一端が上向きに回動されていて、結果的に上記調節部材１２のストッパ１２ｄが上記結束部材１３の係止溝１３ｂに係止された状態を維持して上記収容部材１１と結束部材１３とが相互結合状態を維持する。
【００３８】
このような状態で使用者が上記収容部材１１の設置溝１１ｃの上に設置された押圧板１２ａを加圧すると、上記押圧板１２ａの一側が下向きに回動しながら、その他側が反対に上向きに回動することになり、上記上向きに回動する他側に設置されたストッパ１２ｄが上記結束部材１３の係止溝１３ｂから離脱されることによって、結果的に上記収容部材１１と結束部材１３との間の結合拘束力が解除される。従って使用者が上記収容部材１１と結束部材１３とを互いに分離する方向に離間させることによって解除が完了される。
【００３９】
一方、未説明符号１２ｃは、押圧板１２ａの一側に延長して突出される板材形状の部材で、金属または磁石で形成されたり、金属または磁石が一面に附着されたもので、上記磁性体１４に附着される。
【００４０】
図１１は本発明による靴ひもの結束装置で第２結束部を図示した斜視図であり、図１２は本発明による靴ひもの結束装置で第２結束部の使用状態を説明するための平断面図であり、図１３は本発明による靴ひもの結束装置で第２結束部の内部構造を説明するための縦断面図である。
【００４１】
上記に示したように、上記第２結束部２０は、上記履き物１の足の甲の上部に固定されるように固定孔２２が形成されて、履き物１の最後の連結輪Ｃを通過した靴ひもＬの端部が挟まれて緊結を維持し、図面に示したように、第２結束部２０は、上記固定孔２２の一側に靴ひもＬが挿入されることができるように貫通される案内空間２３を形成した本体２１と、上記本体２１内の案内空間２３に備えられて水平方向に可変移動するように設置される案内棒２４からなる。
【００４２】
ここで、上記本体２１は、図１３に示したように、上記案内空間２３の内部の上側面及び下側面にレール溝２３′を形成し、上記案内棒２４は上端及び下端に上記レール溝２３′に嵌められて案内棒２４が回転されることを防止しながら、安定して摺動できるようにするガイド片２４′が一体に形成される。
【００４３】
一方、上記案内棒２４は、その断面が円形や多角形（三角形、四角形、五角形、六角形など）、楕円形の中のいずれか一つの形態で提供される。
【００４４】
このように構成される第２結束部２０は靴ひもＬの先端を案内空間２３に入れて案内棒２４の外周面を囲んで進入した方向に上記靴ひもＬの端部が引き出される。また、上記靴ひもＬの端部を引張ると、上記案内棒２４が一側に、即ち、図１２の矢印方向に移動して靴ひもＬの一端を加圧して積層された靴ひもＬの上側端部が靴ひもＬの下側端部を同時に加圧して緊結性を維持する。
【００４５】
即ち、図１２に示したように、実線に示された状態は靴ひもＬに対する緊結状態を示したもので、点線で靴ひもＬを位置させながら引張ることによって緊結力が緩まれる。
【００４６】
図１５は本発明による靴ひもの結束装置で第３結束部を示した図面であり、図１６は本発明による靴ひもの結束装置で第３結束部の使用状態を説明するための平断面図である。
【００４７】
上記に示したように、上記第３結束部３０は、履き物１の足の甲の中間部に備えられた靴ひもＬを結束する役割を果たす。このような第３結束部３０は、内部が空いている内部空間３１を形成した板材形状の部材で、外体を形成するボディー３１を含む。このようなボディー３１は、その左側部及び右側部に上記靴ひもＬの各一端が挿入される挿入口３３が形成され、上記挿入口３３を通じて挿入された靴ひもＬを下部で案内して上部側に旋回するように一対の方向転換突起３２が形成される。また、上記ボディー３１は、上部に出口３４を形成して方向転換突起３２を旋回した上記靴ひもＬが上部に引出されることができるようにする構成である。
【００４８】
このように構成される第３結束部３０は、上記ボディー３１の両側部に靴ひもＬの一端をそれぞれ挿入させ、挿入された靴ひもＬは上記ボディー３１の内部の下側に互いに間隔を隔てて離間して形成された一対の方向転換突起３２をそれぞれ旋回するようにした後、その端部が上部側を向けるように配置させる。また、上記方向転換突起３２を旋回した上記靴ひもＬの各端部をボディー３１の上部側に形成された出口３４を通じて外部に引出させ、図面に示したように、履き物１に備えられた次の連結輪Ｃに連結させる。このように構成される第３結束部３０は、従来の靴ひもＬの下端部を緊結に固定する。即ち、上記第３結束部３０を通過した靴ひもＬを上端部方向に引張ることによって緊結状態を強化し、左右側面を向かうようにすることによって結束状態を維持し、上記ボディー３１の下端部を引き上げることによって靴ひもＬの緊結状態を緩ませる。即ち、図面において実線で靴ひもＬが配置された状態では上記靴ひもＬの緊結状態が維持されることを示し、点線で表示した方向に靴ひもＬが配置された状態では矢印方向に引張ると緊結性が強化される。
【００４９】
上記のように構成される本発明による靴ひもの結束装置の結束過程を説明すれば下記の通りである。
まず、本発明の靴ひもの結束装置を構成する第１結束部１０と第２結束部２０及び第３結束部３０は履き物１の足の甲部に交差して結束された靴ひもＬに連結される構成であり、上記第３結束部３０は履き物１の足の甲の下端部、また上記第１結束部１０は上記履き物１の足の甲の中間または上端部、上記第２結束部２０は上記靴ひもＬの端部が経由する部分に備えられる。
【００５０】
このような第１結束部１０と第２結束部２０の構成は従来の本出願人によって先出願された靴ひもの結束装置の構成と異なるので、詳細な説明は省略する。また、上記第３結束部３０も図１５及び図１６を参照して説明したので詳細な説明は省略する。
【００５１】
上記第１結束部１０を利用した履き物１の足の甲部に対する靴ひもＬの締付力の調節を説明すれば下記の通りである。まず、左右に分離して構成された収容部材１１と結束部材１３を互いに嵌合できるように位置させる。即ち、上記収容部材１１のスロット１１ｂの内部に上記結束部材１３の係止板１３ａが挿入できるように位置させた後、これら収容部材１１と結束部材１３を嵌合して組立てる。これにより、上記結束部材１３の係止板１３ａがスロット１１ｂに進入し、進入された状態では、上記収容部材１１の設置溝１１ｃに設置された調節部材１２の押圧板１２ａが磁性体１４によって位置復帰されて、結果的に上記押圧板１２ａに他側に形成されたストッパ１２ｄが上記係止板１３ａの係止溝１３ｂに係止される。従って、上記収容部材１１と結束部材１３との間に結合拘束力が生成される。
【００５２】
このような状態で上記収容部材１１と結束部材１３の結合状態を解除するためには、上記収容部材１１の設置溝１１ｃに設置された押圧板１２ａを加圧する。これにより、上記押圧板１２ａが、一側が押されながらヒンジ軸１２ｂを中心にその反対側面が上向きに回動し、この反対側面の下側に突出されたストッパ１２ｄが上記結束部材１３の係止溝１３ｂから離脱されて拘束力が解除される。このような状態で、使用者が結束部材１３を引張ることによって上記収容部材１１との分離が行われる。
【００５３】
また、第２結束部２０は上記靴ひもＬの端部に対する緊結性を維持及び緩和する要素で、上記靴ひもＬの先端を案内空間２３に嵌め込んで、その内部に垂直に設置された案内棒２４の外周面を囲んで進入した方向に上記靴ひもＬの端部が引出される。
【００５４】
このような状態で、上記外部に引出された靴ひもＬの端部を引張ると、上記靴ひもＬの一端が水平移動される案内棒２４の側面圧迫と積層された上側端部が下層端部を同時に加圧して押圧される現象なしに緊結された状態を維持する。このような緊結性を解除するためには、上記靴ひもＬの反対側、即ち、第２結束部２０の上部から進入する靴ひもＬの一端を上に引張ることによって可能になる。
【００５５】
最後に、本発明の靴ひもの結束装置を構成する第３結束部３０は左右に対称する形状に備えられて、その内部にそれぞれの靴ひもＬの一端が側部から挿入されて下部に進行した後、再び上部に引出される形態に備えられるようにして上記靴ひもＬの緊結性を調節する。
【００５６】
即ち、上記第３結束部３０は内部が空いているボディー３１の両側部に形成された挿入口３３を通じて上記靴ひもＬの各一端が挿入され、このように挿入された靴ひもＬの各一端はボディー３１の下部に形成された方向転換突起３２の外周面を旋回して上部側に案内される。また、上記ボディー３１の上部に形成された出口３４を通じて外部に引出される。このように引出された靴ひもＬの一端は上記第３結束部３０の上部に隣接した連結輪Ｃに連結されて結束され、使用者が上記第３結束部３０を通過した靴ひもＬを上に引張ることによって履き物１の下端部に対する緊結状態を強化し、下部側面を向かうようにすることで結束を維持し、上記ボディー３１の下端部を引き上げることによって上記履き物１の下端部に対する靴ひもＬの緊結状態を緩ませる。
【００５７】
図１７は本発明による靴ひもの結束装置で第１実施形態による第１結束部が適用された履き物を示した斜視図であり、図１８は本発明による靴ひもの結束装置で第１実施形態による第１結束部を示した斜視図であり、図１９は本発明による靴ひもの結束装置で第１実施形態による第１結束部を示した分解斜視図である。また、図２０及び図２１は本発明による靴ひもの結束装置で第１実施形態による第１結束部の内部構造を説明するための断面図である。
【００５８】
上記に示したように、本発明の靴ひもの結束装置１は、履き物１の足の甲部に一定の間隔に対向するように形成された連結輪に靴ひもＬを交差されるように形成して着用する運動靴・登山靴などのような履き物に適用されるもので、使用者からの操作力によって靴ひもＬの結束状態を選択的に弛緩させる第１結束部１０と；上記履き物の足の甲の上部に備えられるように固定孔２２が形成されたもので、履き物１の最後の連結輪Ｃを通過した靴ひもＬの端部が挟まれて緊結を維持する第２結束部２０と；上記履き物１の足の甲の中間部に備えられた靴ひもＬを結束して上記履き物１の足の甲の下部に対する結束を調節する第３結束部３０と；で構成される。
【００５９】
このような構成は従来の本出願人によって先出願された靴ひもの結束装置の構成と相異する。ただ、本発明は第１結束部１０、第２結束部２０及び第３結束部３０の構造を改善して使用者の信頼性と使用上の便宜性を高めるようにしたものであり、以下、本発明の好ましい第１実施形態による第１結束部１０について説明する。
【００６０】
第１結束部１０は雌部材である収容部材１１と；上記収容部材１１と嵌合する雄部材である結束部材１３と；上記収容部材１１に回動可能に備えられて上記結束部材１３に対して選択的に結合拘束力を生成する調節部材１２と；で構成される。
【００６１】
上記収容部材１１は上記結束部材１３の係止板１３ａが挿入できるように一側が開口されたスロット１１ｂを形成し、磁性体１４は、図面に示したように、スロット１１ｂの一側面、特にスロット１１ｂの上側面の内部に附着されて、調節部材１２の押圧板１２ａが磁力によって附着状態を維持することができる。また、収容部材１１は、使用者の押圧力によって設置された調節部材１２の上部面に設置溝１１ｃとともに形成される。設置溝１１ｃはスロット１１ｂと連結される。また、上記収容部材１１は上記設置溝１１ｃの側壁に相互対向する方向にヒンジ溝１１ｄが形成され、この時の上記ヒンジ溝１１ｄには後述する調節部材１２を構成する押圧板１２ａの両側に突出されたヒンジ軸１２ｂが回転可能に挿入される。
【００６２】
一方、上記収容部材１１は上記スロット１１ｂと反対する他側に支持片１１ａが突出して形成され、この時の上記支持片１１ａは靴ひもＬを結束する貫通孔１１ａ′が形成される。このような支持片１１ａは靴ひもＬを連結することができる特徴を有すれば、多様な形態に変形実施されても構わなく、本発明では一対の支持片１１ａが突出して形成されることを示した。また、上記一対の支持片１１ａは履き物１を前方から見た時、履き物の前部からで足首に向かって間隔が広くなるので、ここに対応して、前部に配置される支持片に比べて足首の方に配置される支持片の突出長さが長くなるように形成されることが好ましい。
【００６３】
上記結束部材１３は上記収容部材１１のスロット１１ｂに挿入されて選択的に係止されることによって結束部材１３とともに結合された状態が維持または解除されて分離する要素で、一側、即ち図面から見て、上側面には長手方向に沿って係止溝１３ｂが形成された係止板１３ａが突出される。このような結束部材１３は上記係止板１３ａと反対される他側に支持片１３ｃを突出し、この時の上記支持片１３ｃは靴ひもＬを結束する貫通孔１３ｃ′が形成されたもので、前に説明した収容部材１１の支持片１１ａと対応して形成される。
【００６４】
上記調節部材１２は、上記設置溝１１ｃを部分的に遮蔽する板材形状の要素で、上記設置溝１１ｃに回動可能に設置される。このような調節部材１２は磁性体（１４）に選択的に附着され、使用者から加圧操作力を受ける押圧板１２ａと；上記押圧板１２ａの一側で下向きに突出されて上記係止溝１３ｂに選択的に係止されるストッパ１２ｄとで構成され、この時の上記ストッパ１２ｄは上記押圧板１２ａの回動の時、即ち、使用者の加圧操作力によって押された時ヒンジ軸１２ｂを中心に上向きに回動して上記結束部材１３の係止溝１３ｂから離脱されるように備えられる。また、上記調節部材１２は上記押圧板１２ａから延長される弾性板部１２ｔを備え、この弾性板部１２ｔの端部には係止突起１２ｔ′が形成される。ここで、上記弾性板部１２ｔは図２０に示したように、設置溝１１ｃを遮蔽するように平坦に形成され、上記係止突起１２ｔ′は上記設置溝１１ｃの枠側とその内側面に係止されるように形成される。
【００６５】
このような構成によって、上記調節部材１２は押圧板１２ａを加圧すると、ヒンジ軸１２ｂを中心に回動して、結果的にストッパ１２ｄが係止溝１３ｂから離脱され、加圧操作力を解除すれば上記弾性板１２ｔの係止突起１２ｔ′が上記結束部材１３の設置溝１１ｃに弾力的に係止されることによって弾性復帰され、それによって上記ストッパ１２ｄが係止溝１３ｂに係止される。
【００６６】
一方、未説明符号１２ｅは押圧板１２ａの他側、即ち、上記弾性板１２ｔと反対する方に延長される板材形状の部材で、図面に示したように、上記設置溝１１ｃの一側の内壁に係止されることによって上記押圧板１２ａの他側端が上向きに回動されることを防止する延長板部１２ｅを示している。
【００６７】
このように構成される第１結束部１０は収容部材１１と結束部材１３とが互いに嵌合されて組立られた状態を詳しく説明すると、上記調節部材１２の係止突起１２ｔ′が設置溝１１ｃの一側面に弾力的に係止されているので、その一端が上向きに回動されて水平状態、即ち、上記調節部材１２の弾性板１２ｔが設置溝１１ｃを遮蔽しながらストッパ１２ｄが上記結束部材１３の係止溝１３ｂに係止された状態を維持する。従って、上記収容部材１１と結束部材１３は互いに結合状態を維持する。
【００６８】
このような状態で、使用者が上記収容部材１１の設置溝１１ｃに設置された調節部材１２の押圧板１２ａを加圧すると、ヒンジ軸１２ｂを中心に上記押圧板１２ａの一側が下向きに回動しながらその反対側の弾性板１２ｔ及び係止突起１２ｔ′は上向きに回動しようとする力を受けるが、上記係止突起１２ｔ′が設置溝１１ｃの一側壁に係止されていて弾性変形が発生する。この時、上記弾性板１２ｔの一側に備えられたストッパ１２ｄは上記結束部材１３の係止溝１３ｂから離脱されることによって、結果的に上記収容部材１１と結束部材１３との間の結合拘束力が解除される。
【００６９】
従って、使用者が上記収容部材１１と結束部材１３を互いに分離する方向に離間させることによって解除が完了する。
【００７０】
図２２は本発明による靴ひもの結束装置で第２実施形態による第１結束部を示した斜視図であり、図２３は本発明による靴ひもの結束装置で第２実施形態による第１結束部を示した分解斜視図であり、図２４及び図２５は本発明による靴ひもの結束装置で第２実施形態による第１結束部の内部構造を説明するための断面図ある。上記に示したように、本実施形態における第１結束部１０は雌部材である収容部材１１と、上記収容部材１１と嵌合する雄部材である結束部材１３と、上記収容部材１１に回動可能に備えられて上記結束部材１３に対して選択的に結合拘束力を生成する調節部材１２とで構成され、このような構成の第１結束部１０は前に説明した第１結束部の構成と類似しているなので同一部品に対しては同一符号を付け、その詳細な説明は省略する。
【００７１】
本実施形態における第１結束部１０は調節部材１２に加えられる押圧操作が解除された時の回動を復帰するための弾性部材１５で、上記設置溝１１ｃの一側に露出されながら両側面が切開された上板部１５ａと、この上板部１５ａで下向きに延長されることによって上記ストッパ１２ｄの側部が接触される支持板部１５ｂとで構成されることを提案した。
【００７２】
このような構成によって、上記押圧板１２ａを加圧すると、ヒンジ軸１２ｂを中心に回動することによってストッパ１２ｄが係止溝１３ｂから離脱されて、上記収容部材１１と結束部材１３の結合力が解除される。この時、上記押圧板１２ａの他側、即ち、ストッパ１２ｄの側部は弾性部材１５の垂直板部１５ｂに支持されており、上記垂直板部１５ｂは上記ストッパ１２ｄの回動によって弾性変形される。
【００７３】
このような状態で上記押圧板１２ａに加えていた加圧力を解除すると、上記垂直板部１５ｂが弾力的に位置復元されることによって、ストッパ１２ｄ及びこれを備えた押圧板１２ａが復帰位置に回動され、この過程で上記ストッパ１２ｄは上記収容部材１１の内部に結束部材１３が挿入されている場合、係止溝１３ｂに係止されて締結力を生成する。
【００７４】
図２６は本発明による靴ひもの結束装置で第３実施形態による第１結束部を示した分解斜視図で、これに示したように、本実施形態における第１結束部１０は雌部材である収容部材１１と；上記収容部材１１と嵌合する雄部材である結束部材１３と；上記収容部材１１に回動可能に備えられて上記結束部材１３に対して選択的に結合拘束力を生成する調節部材１２とで構成され、このような構成の第１結束部１０は、第１実施形態で説明した第１結束部の構成と類似しているので、同一部品に対しては同一符号を付け、その詳細な説明は省略する。
【００７５】
本実施形態における第１結束部１０は調節部材１２に加えられる押圧操作が解除された時の回動を復帰するための弾性部材１６で、上記押圧板１２ａの両側に両端が結合され、一端は上記結束部材１３の設置溝１１ｃの一側の内側壁に係止される鋼線スプリングが使用されることを提案した。
このような構成によって、上記押圧板１２ａを加圧すると、ヒンジ軸１２ｂを中心に回動することによって、ストッパ１２ｄが係止溝１３ｂから離脱されて上記収容部材１１と結束部材１３との結合力が解除される。この時、上記押圧板１２ａの他側に配置された弾性部材１６はその端部が上記設置溝１１ｃの一側の内側壁に支持されているので、上記押圧板１２ａの回動の時弾性変形される。
【００７６】
このような状態で上記押圧板１２ａに加えていた加圧力を解除すると、上記鋼線スプリングからなる弾性部材１６が弾力的に位置復帰されることによって、これを備えた押圧板１２ａが復帰位置に回動され、この過程で上記ストッパ１２ｄは上記収容部材１１の内部に結束部材１３が挿入されている場合、係止溝１３ｂに係止されて締結力を生成する。
【００７７】
図２７は本発明による靴ひもの結束装置で第４実施形態による第１結束部を示した分解斜視図で、これに示したように、本実施形態における第１結束部１０は雌部材である収容部材１１と；上記収容部材１１と嵌合する雄部材である結束部材１３と；上記収容部材１１に回動可能に備えられて上記結束部材１３に対して選択的に結合拘束力を生成する調節部材１２とで構成され、このような構成の第１結束部１０は前の第３実施形態で説明した第１結束部の構成と類似しているので、同一部品に対しては同一符号を付け、その詳細な説明は省略する。
【００７８】
本実施形態における第１結束部１０は調節部材１２に加えられる押圧操作が解除された時の回動を復帰するための弾性部材１７で、図面に示したように、上記押圧板１２ａの両側に突出されたヒンジ軸１２ｂに一端が巻き取られて支持されながら、その他端は上記結束部材１３の設置溝１１ｃの一側の内側壁に係止されて弾性力を作用するトーションスプリングを用いることを提案した。
【００７９】
このように、トーションスプリングからなる弾性部材１７を備えた調節部材１２は、前述した第３実施形態と同じ作用を通じて押圧板１２ａを弾力的に位置復帰させるので、詳細な説明は省略する。
【００８０】
図２８は本発明による靴ひもの結束装置で第５実施形態による第１結束部を示した分解斜視図で、これに示したように、本実施形態における第１結束部１０は雌部材である収容部材１１と；上記収容部材１１と嵌合する雄部材である結束部材１３と；上記収容部材１１に回動可能に備えられて上記結束部材１３に対して選択的に結合拘束力を生成する調節部材１２とで構成され、このような構成の第１結束部１０は第３実施形態で説明した第１結束部の構成と類似しているので、同一部品に対しては同一符号を付け、その詳細な説明は省略する。
【００８１】
本実施形態における第１結束部１０は調節部材１２に加えられる押圧操作が解除された時の回動を復帰するための弾性部材１８で、図面に示したように、コイルスプリングを用いることを提案する。
【００８２】
この時の上記コイルスプリングからなる弾性部材１８は一端が押圧板１２ａの一側に連結され、他端は上記結束部材１３の一側に連結されることによって、上記押圧板１２ａが加圧によって回動される時コイルスプリングが伸びることによって弾性力を蓄積し、上記押圧板１２ａが加えられる加圧力が解除されると、蓄積された弾性力によって押圧板１２ａを復帰位置に回動させる。
【００８３】
図２９は本発明による靴ひもの結束装置で第２結束部を示した斜視図であり、図３０及び図３１は本発明による靴ひもの結束装置で第２結束部の使用状態を説明するための断面図である。
【００８４】
これに示したように、上記第２結束部２０は上記履き物１の足の甲の上部に固定されるように固定孔２２が形成されて、履き物１の最後の連結輪Ｃを通過した靴ひもＬの端部が挟まれて緊結を維持し、図面に示したように、上記固定孔２２の一側に靴ひもＬが挿入できるように貫通される案内空間２３を形成した本体２１と、上記本体２１内の案内空間２３に備えられて水平方向に可変移動されるように備えられる案内棒２４及び第１ポスト２５及び第２ポスト２６を含む。
【００８５】
ここで、上記本体２１は固定孔２２の一側に案内空間２３を形成するように間隔を隔てて離間された上板２１ａと下板２１ｂが形成され、これら上板２１ａと下板２１ｂとの間の案内空間２３には水平方向に可変移動されるように備えられる案内棒２４と、この案内棒２４の一側に所定の間隔を隔てて離間される位置に第１ポスト２５及び第２ポスト２６が形成される。
【００８６】
一方、上記案内棒２４は上板２１ａ及び下板２１ｂの相互対向する側面に形成されたレール溝２３′に嵌められて案内棒２４が回転されることが防止されながら安定して摺動できるようにするガイド片２４′が一体に形成される。また、上記案内棒２４はその断面が円形や多角形（三角形、四角形、五角形、六角形）などの楕円形の中のいずれか一つの形態で提供される。
【００８７】
このように構成される第２結束部２０は、靴ひもＬの先端を案内空間２３に挿入して案内棒２４を旋回するようにした後、この案内棒２４に隣接して配置された第１ポスト２５との間の空間に進入させた後、上記第１ポスト２５に隣接して配置された第２ポスト２６との間の空間に進入させ、それから、上記靴ひもＬの端部を引張ると上記案内棒２４が一側に移動しながら上記靴ひもＬの一端を加圧して積層された靴ひもＬの上側端部が靴ひもＬの下側端部を同時に加圧して緊結性を維持する。
【００８８】
図３２は本発明による靴ひもの結束装置で第３結束部が適用された履き物を示した斜視図であり、図３３は本発明による靴ひもの結束装置で第３結束部を示した斜視図であり、図３４は本発明による靴ひもの結束装置で第３結束部の使用状態を説明するための平断面図である。
【００８９】
上記に示したように、上記第３結束部３０は、履き物１の足の甲の中間部に備えられた靴ひもＬを結束する役割を果たす。
【００９０】
このような第３結束部３０は、内部が空いている内部空間３１′を形成した板材形状の部材で、外体を形成するボディー３１′を含む。このようなボディー３１′はその左側部及び右側部に上記靴ひもＬの各一端が挿入及び引出される一対の入出口３３′が形成され、上記ボディー３１′の内部に互いに間隔を隔てて垂直に形成されることによって挿入された靴ひもＬが旋回して再び引出されることができるように支持する一対の方向転換突起３２′が形成される。
【００９１】
このように構成される第３結束部３０は、上記ボディー３１′の両側部に形成された入出口３３′を通じて靴ひもＬの一端をそれぞれ挿入させ、挿入された靴ひもＬは上記ボディー３１′の内部に互いに間隔を隔てて離間して形成された一対の方向転換突起３２′をそれぞれ旋回するようにした後、その端部が進入した当該入出口３３′を通じて引出されるようにして履き物１に備えられた次の連結輪Ｃに連結させる。このように構成される第３結束部３０は従来の靴ひもＬの下端部を緊結に固定する。即ち、上記第３結束部３０を通過した靴ひもＬを上端部方向に引張ることによって緊結状態を強化し、左右側面に向かうようにすることで結束状態を維持し、上記ボディー３１′を足の甲の上端方向に引張ることによって靴ひもＬの緊結状態を緩ませる。
【００９２】
上記のように構成される本発明による靴ひもの結束装置の結束過程を説明すると下記の通りである。
まず、本発明の靴ひも結束装置を構成する第１結束部１０、第２結束部２０及び第３結束部３０は履き物１の足の甲部に交差して結束された靴ひもＬに連結される構成であり、上記第３結束部３０は履き物１の足の甲の下端部に、上記第１結束部１０は上記履き物１の足の甲の中間または上端部に、上記第２結束部２０は上記靴ひもＬの端部が経由する部分に備えられる。
【００９３】
まず、上記第１結束部１０を利用した履き物１の足の甲部に対する締付力の調節を説明すると下記の通りである。締付力を生成するためには左右に分離して構成された収容部材１１と結束部材１３を互いに嵌合可能に位置させる。即ち、上記収容部材１１のスロット１１ｂの内部に上記結束部材１３の係止板１３ａが挿入可能に位置させた後、これら収容部材１１と結束部材１３を嵌合して組立てる。これにより、上記結束部材１３の係止板１３ａがスロット１１ｂに進入し、進入された状態では上記収容部材１１の設置溝１１ｃに設置された調節部材１２の押圧板１２ａが弾性部材によって位置復帰されて、結果的に上記押圧板１２ａに他側に形成されたストッパ１２ｄが上記係止板１３ａの係止溝１３ｂに係止される。従って、上記収容部材１１と結束部材１３との間に結合拘束力が生成される。
【００９４】
このような状態で上記収容部材１１と結束部材１３との結合状態を解除するためには、上記収容部材１１の設置溝１１ｃに設置された押圧板１２ａを加圧する。これにより、上記押圧板１２ａの一側が押されながらヒンジ軸１２ｂを中心にその反対側面が上向きに回動され、この反対側面の下側に突出されたストッパ１２ｄが上記結束部材１３の係止溝１３ｂから離脱されて拘束力が解除される。このような状態で使用者が結束部材１３を引張ることによって上記収容部材１１と分離される。
【００９５】
また、第２結束部２０は上記靴ひもＬの端部に対する緊結性を維持及び緩和する要素で、上記靴ひもＬの先端を案内空間２３に挿入して案内棒２４を旋回するようにした後、この案内棒２４に隣接して配置された第１ポスト２５との間の空間に進入させ、それから、上記第１ポスト２５に隣接して配置された第２ポスト２６の間の空間に進入させる。
【００９６】
このような状態で上記外部に引出された靴ひもＬの端部を引張ると、上記案内棒２４の一側に移動しながら、上記靴ひもＬの一端を加圧して積層された靴ひもＬの上側端部が靴ひもＬの下側端部を同時に加圧して緊結性を維持する。
【００９７】
最後に、第３結束部３０は左右対称する形状に備えられて、その内部にそれぞれの靴ひもＬの一端が側部に挿入されて下部に進行した後、さらに上部に引出される形態に備えられるようにして、上記靴ひもＬの緊結性を調節する。
【００９８】
即ち、上記第３結束部３０は、上記ボディー３１′の両側部に形成された入出口３３′を通じて靴ひもＬの一端をそれぞれ挿入させ、挿入された靴ひもＬは上記ボディー３１′の内部に互いに間隔を隔てて離間して形成された一対の方向転換突起３２′をそれぞれ旋回するようにした後、その端部が進入した上記入出口３３′を通じて外部に引出される。
【００９９】
このように引出された靴ひもＬの一端は上記第３結束部３０の上部に隣接した連結輪Ｃに連結されて結束され、使用者が上記第３結束部３０を通過した靴ひもＬを引張ることで緊結力を強化し、上記第３結束部３０を足の甲の上端方向に引張ることによって緊結状態を緩ませる。
【０１００】
一方、本発明は記載された実施形態に限定されるものではなく、本発明の思想及び範囲を逸脱しないで多様に修正及び変形できることは当該技術分野において通常の知識を有する者にとっては自明である。従って、このような変形例または修正例は本発明の特許請求の範囲に属するべきである。
【図１】
2011500128.tif 000003
【図２】
2011500128.tif 000004
【図３】
2011500128.tif 000005
【図４】
2011500128.tif 000006
【図５】
2011500128.tif 000007
【図６】
2011500128.tif 000008
【図７】
2011500128.tif 000009
【図８】
2011500128.tif 000010
【図９】
2011500128.tif 000011
【図１０】
2011500128.tif 000012
【図１１】
2011500128.tif 000013
【図１２】
2011500128.tif 000014
【図１３】
2011500128.tif 000015
【図１４】
2011500128.tif 000016
【図１５】
2011500128.tif 000017
【図１６】
2011500128.tif 000018
【図１７】
2011500128.tif 000019
【図１８】
2011500128.tif 000020
【図１９】
2011500128.tif 000021
【図２０】
2011500128.tif 000022
【図２１】
2011500128.tif 000023
【図２２】
2011500128.tif 000024
【図２３】
2011500128.tif 000025
【図２４】
2011500128.tif 000026
【図２５】
2011500128.tif 000027
【図２６】
2011500128.tif 000028
【図２７】
2011500128.tif 000029
【図２８】
2011500128.tif 000030
【図２９】
2011500128.tif 000031
【図３０】
2011500128.tif 000032
【図３１】
2011500128.tif 000033
【図３２】
2011500128.tif 000034
【図３３】
2011500128.tif 000035
【図３４】
2011500128.tif 000036
【国際調査報告】
2011500128.tif 000037
2011500128.tif 000038